(57)【特許請求の範囲】
【請求項１】
シリンダ内に設けた弁座から離間して該シリンダ内に流体を吸入するためのバルブプランジャと、このバルブプランジャの外周部を摺動可能に保持する中空のガイドシャフトと、このガイドシャフトの外周部に取り付けられ該ガイドシャフトと前記バルブプランジャと前記シリンダと共に密閉空間を形成して前記シリンダの内周部に沿って摺動自在なピストンと、このピストンおよび前記ガイドシャフトを前記バルブプランジャに沿って前記シリンダ内に押し込んで前記密閉空間を加圧することにより開放され該密閉空間内の流体を排出するための排出弁とを備える流体吐出器において、
前記ピストンは、エラストマまたはゴムからなり、
前記排出弁は、前記密閉空間内を加圧することにより前記ピストンのガイドシャフト側固定部が前記ガイドシャフトから一部離間して該ガイドシャフトの側面に設けた貫通穴を開放して該密閉空間内の流体を排出するものであることを特徴とする流体吐出器。
【請求項２】
シリンダ内に設けた弁座から離間して該シリンダ内に流体を吸入するためのバルブプランジャと、このバルブプランジャの外周部を摺動可能に保持する中空のガイドシャフトと、このガイドシャフトの外周部に取り付けられ該ガイドシャフトと前記バルブプランジャと前記シリンダと共に密閉空間を形成して前記シリンダの内周部に沿って摺動自在なピストンと、このピストンおよび前記ガイドシャフトを前記バルブプランジャに沿って前記シリンダ内に押し込んで前記密閉空間を加圧することにより開放され該密閉空間内の流体を排出するための排出弁とを備える流体吐出器において、
前記ガイドシャフトは、少なくとも、そのバルブプランジャ側摺動部がエラストマまたはゴムからなり、
前記排出弁は、前記密閉空間内を加圧することにより前記ガイドシャフトのバルブプランジャ側接触部が前記バルブプランジャから離間して該密閉空間内の流体を排出するものであることを特徴とする流体吐出器。
【請求項３】
シリンダ内に設けた弁座から離間して該シリンダ内に流体を吸入するためのバルブプランジャと、このバルブプランジャの外周部を摺動可能に保持する中空のガイドシャフトと、このガイドシャフトの外周部に取り付けられ該ガイドシャフトと前記バルブプランジャと前記シリンダと共に密閉空間を形成して前記シリンダの内周部に沿って摺動自在なピストンと、このピストンおよび前記ガイドシャフトを前記バルブプランジャに沿って前記シリンダ内に押し込んで前記密閉空間を加圧することにより開放され該密閉空間内の流体を排出するための排出弁とを備える流体吐出器において、
前記ピストンと、前記ガイドシャフトの少なくともバルブプランジャ側摺動部とがそれぞれ、別体のエラストマまたはゴムからなり、
前記排出弁は、前記密閉空間内を加圧することにより前記ピストンのガイドシャフト側固定部が前記ガイドシャフトから一部離間して該ガイドシャフトの側面に設けた貫通穴を開放して該密閉空間内の流体を排出するものであることを特徴とする流体吐出器。
【請求項４】
シリンダ内に設けた弁座から離間して該シリンダ内に流体を吸入するためのバルブプランジャと、このバルブプランジャの外周部を摺動可能に保持する中空のガイドシャフトと、このガイドシャフトの外周部に取り付けられ該ガイドシャフトと前記バルブプランジャと前記シリンダと共に密閉空間を形成して前記シリンダの内周部に沿って摺動自在なピストンと、このピストンおよび前記ガイドシャフトを前記バルブプランジャに沿って前記シリンダ内に押し込んで前記密閉空間を加圧することにより開放され該密閉空間内の流体を排出するための排出弁とを備える流体吐出器において、
前記ピストンと、前記ガイドシャフトの少なくともバルブプランジャ側摺動部とがそれぞれ、別体のエラストマまたはゴムからなり、
前記排出弁は、前記密閉空間内を加圧することにより前記ガイドシャフトのバルブプランジャ側接触部が前記バルブプランジャから離間して該密閉空間内の流体を排出するものであることを特徴とする流体吐出器。
【請求項５】
シリンダ内に設けた弁座から離間して該シリンダ内に流体を吸入するためのバルブプランジャと、このバルブプランジャの外周部を摺動可能に保持する中空のガイドシャフトと、このガイドシャフトの外周部に取り付けられ該ガイドシャフトと前記バルブプランジャと前記シリンダと共に密閉空間を形成して前記シリンダの内周部に沿って摺動自在なピストンと、このピストンおよび前記ガイドシャフトを前記バルブプランジャに沿って前記シリンダ内に押し込んで前記密閉空間を加圧することにより開放され該密閉空間内の流体を排出するための排出弁とを備える流体吐出器において、
前記ピストンと、前記ガイドシャフトの少なくともバルブプランジャ側摺動部とは、一体に成形されたパーツからなり、
前記排出弁は、前記密閉空間内を加圧することにより前記ガイドシャフトのバルブプランジャ側接触部が前記バルブプランジャから離間して該密閉空間内の流体を排出するものであるものであることを特徴とする請求項４に記載の流体吐出器。
【発明の詳細な説明】
【０００１】
【発明の属する技術分野】
本発明は、バルブプランジャを摺動可能に保持する中空のガイドシャフトおよびこのガイドシャフトに取り付けたピストンが摺動するシリンダを備えた流体吐出器に関するものである。
【０００２】
【従来の技術】
合成樹脂からなる流体吐出器には、例えば、使用者がトリガー（引き金）に引っ掛けた指を引くことによってポンプ作用を惹起するトリガータイプや、使用者が指で押圧ヘッドを押圧することによってポンプ作用を惹起するワンプッシュタイプなどがある。
【０００３】
図９は、従来の流体噴出器として例示したワンプッシュポンプ４０と、このポンプ４０が取り付けられる容器５０の口部５０ａとを示す断面図である。
【０００４】
ワンプッシュポンプ４０は、例えば、乳液などの液体を吐出するものであって、容器５０の口部５０ａに取り付けられるキャップ４１と、このキャップ４１の内側に取り付けられ容器５０の内容物を吸い上げるパイプＣoを有するシリンダ４２と、このシリンダ４２内に設けた座部４２ａから離間して該シリンダ４２内に流体を吸入するためのバルブプランジャ４３と、このバルブプランジャ４３との間にリターンスプリングＳ1を配して該バルブプランジャ４３の外周部を摺動可能に保持する中空のガイドシャフト４４と、このガイドシャフト４４とバルブプランジャ４３とシリンダ４２と共に密閉空間Ｒ1を形成しシリンダ４２の内周部に沿って摺動自在なピストン４５と、このピストン４５をガイドシャフト４４との間に配置すると共に該ガイドシャフト４４の外周部との間に流路ｒ1を形成するピストンステム４６と、このピストンステム４６の排出側に取り付けるノズルヘッド４７と、キャップ４１とシリンダ４２のフランジ上面との間に設けられガイドシャフト４４を保持する保持部材４８と、容器５０の口部５０ａとシリンダ４２のフランジ下面との間に介在するパッキンＰoとからなる。なお、符号４９は、ポンプ４０に着脱自在なカバーである。
【０００５】
具体的にガイドシャフト４４のバルブプランジャ側摺動部４４ａは、ガイドシャフト４４をシリンダ４２内に押し込む過程では、バルブプランジャ４３を該バルブプランジャ４３がシリンダ４２に設けた弁座４２ａに着座するまで一体に保持するが、バルブプランジャ４３が弁座４２ａに着座したのちは、ガイドシャフト４４をリターンスプリングＳ1の付勢力に抗してバルブプランジャ４３の外周部４３ｆに沿って摺動させる。このとき、ガイドシャフト４４は、ピストン４５と共にバルブプランジャ４３に沿って該シリンダ４２内に押し込んで密閉空間Ｒ1を加圧することによりリターンスプリングＳ1の付勢力に抗してピストン４５から離間して密閉空間Ｒ1をガイドシャフト４４およびピストン４５間に形成した流路ｒ2に開放し、この流路ｒ2から密閉空間Ｒ1内の流体を排出する。
【０００６】
その後、ガイドシャフト４４のバルブプランジャ側摺動部４４ａは、ガイドシャフト４４をシリンダ４２内から引き戻す過程では、リターンスプリングＳ1の付勢力によって、再びバルブプランジャ４３の外周部を保持して該バルブプランジャ４３を一体に引き上げて、バルブプランジャ４３をシリンダ４２の弁座４２ａからスプリング端部に突き当たるまで離間させ、その後はガイドシャフト４４のみが元の位置まで復帰する。
【０００７】
ここで、図９を参照してワンプッシュポンプ４０の吐出状態を説明する。
【０００８】
始めに使用者が矢印ｄの方向にノズルヘッド４７を押圧すると、ピストンステム４６がピストン４５およびガイドシャフト４４をリターンスプリングＳ1の付勢力に抗してシリンダ４２内に押し込んで、ガイドシャフト４４に保持されたバルブプランジャ４３をシリンダ４２の弁座４２ａに着座させると共に、ピストン４５をガイドシャフト４４から離間させる。
【０００９】
その後さらにノズルヘッド４７を押圧すると、ガイドシャフト４４がバルブプランジャ４３の外周部４３ｆに沿って摺動するため、ガイドシャフト４４と共にピストン４５をリターンスプリングＳ1の付勢力に抗してシリンダ４２内に押し込んで密閉空間Ｒ1を加圧する。
【００１０】
すると、密閉空間Ｒ1内では圧力が上昇し、密閉空間Ｒ1内の空気をガイドシャフト４４およびピストン４５間に形成した流路ｒ2およびガイドシャフト４４およびピストンステム４６間に形成した流路ｒ1を経てノズルヘッド４７へ排出し、その後、使用者がノズルヘッド４７から指を離すと、ガイドシャフト４４は、リターンスプリングＳ1の付勢力によって再びピストン４５に着座する。このとき、ノズルヘッド４７の上昇と共にガイドシャフト４４がバルブプランジャ４３を引き上げてシリンダ４２の座部４２ａから離間させると共に密閉空間Ｒ1内に負圧を生じさせるため、この負圧によって、容器内の内容物をパイプＣoから吸い上げて密閉空間Ｒ1内に導入する。
【００１１】
以後、使用者がノズルヘッド４７を押圧すると、ガイドシャフト４４がバルブプランジャ４３をシリンダ４２の座部４２ａに着座させると共にピストン４５とガイドシャフト４４とを離間させたのちピストン４５によって密閉空間Ｒ1内の内容物を加圧するため、この加圧された内容物は、流路ｒ2および流路ｒ1を経てノズルヘッド４７の排出口４７ａから排出される。
【００１２】
【発明が解決しようとする課題】
しかしながら、流体吐出器が吐出する流体として、例えば、パウダーやスクラブなどの微粒子を含む液体を使用する場合、ガイドシャフト４４およびピストン４５はＰＥ（ポリエチレン）からなるものが一般的であるため、シリンダ４２内を摺動するピストン４５のシリンダ側摺動部や、バルブプランジャ４３内を摺動するガイドシャフト４４のバルブプランジャ側摺動部では、この微粒子によって摺動面にキズがついてしまうことがあり、密閉空間に対して一定の密閉性（シール性）を確保できないという問題があった。
【００１３】
本発明は、上述した問題点に鑑みてなされたものであって、ピストンのシリンダ側摺動部やガイドシャフトのバルブプランジャ側摺動部に生じるキズを防止することにより密閉空間に対して一定の密閉性が確保された流体吐出器を提供することを目的とする。
【００１４】
【課題を解決するための手段】
この課題を解決するため、第１発明である流体吐出器は、シリンダ内に設けた弁座から離間して該シリンダ内に流体を吸入するためのバルブプランジャと、このバルブプランジャの外周部を摺動可能に保持する中空のガイドシャフトと、このガイドシャフトの外周部に取り付けられ該ガイドシャフトとバルブプランジャとシリンダと共に密閉空間を形成してシリンダの内周部に沿って摺動自在なピストンと、このピストンおよびガイドシャフトをバルブプランジャに沿ってシリンダ内に押し込んで密閉空間を加圧することにより開放され該密閉空間内の流体を排出するための排出弁とを備える流体吐出器において、ピストンは、エラストマまたはゴムからなり、前記排出弁は、前記密閉空間内を加圧することにより前記ピストンのガイドシャフト側固定部が前記ガイドシャフトから一部離間して該ガイドシャフトの側面に設けた貫通穴を開放して該密閉空間内の流体を排出するものであることを特徴とするものである。
【００１５】
第２発明である流体吐出器は、シリンダ内に設けた弁座から離間して該シリンダ内に流体を吸入するためのバルブプランジャと、このバルブプランジャの外周部を摺動可能に保持する中空のガイドシャフトと、このガイドシャフトの外周部に取り付けられ該ガイドシャフトとバルブプランジャとシリンダと共に密閉空間を形成してシリンダの内周部に沿って摺動自在なピストンと、このピストンおよびガイドシャフトをバルブプランジャに沿ってシリンダ内に押し込んで密閉空間を加圧することにより開放され該密閉空間内の流体を排出するための排出弁とを備える流体吐出器において、ガイドシャフトは、少なくとも、そのバルブプランジャ側摺動部がエラストマまたはゴムからなり、前記排出弁は、前記密閉空間内を加圧することにより前記ガイドシャフトのバルブプランジャ側接触部が前記バルブプランジャから離間して該密閉空間内の流体を排出するものであることを特徴とするものである。
【００１６】
第３発明である流体吐出器は、シリンダ内に設けた弁座から離間して該シリンダ内に流体を吸入するためのバルブプランジャと、このバルブプランジャの外周部を摺動可能に保持する中空のガイドシャフトと、このガイドシャフトの外周部に取り付けられ該ガイドシャフトとバルブプランジャとシリンダと共に密閉空間を形成してシリンダの内周部に沿って摺動自在なピストンと、このピストンおよびガイドシャフトをバルブプランジャに沿ってシリンダ内に押し込んで密閉空間を加圧することにより開放され該密閉空間内の流体を排出するための排出弁とを備える流体吐出器において、ピストンと、ガイドシャフトの少なくともバルブプランジャ側摺動部とがそれぞれ、別体のエラストマまたはゴムからなり、前記排出弁は、前記密閉空間内を加圧することにより前記ピストンのガイドシャフト側固定部が前記ガイドシャフトから一部離間して該ガイドシャフトの側面に設けた貫通穴を開放して該密閉空間内の流体を排出するものであることを特徴とするものである。
【００１７】
第４発明である流体吐出器は、シリンダ内に設けた弁座から離間して該シリンダ内に流体を吸入するためのバルブプランジャと、このバルブプランジャの外周部を摺動可能に保持する中空のガイドシャフトと、このガイドシャフトの外周部に取り付けられ該ガイドシャフトと前記バルブプランジャと前記シリンダと共に密閉空間を形成して前記シリンダの内周部に沿って摺動自在なピストンと、このピストンおよび前記ガイドシャフトを前記バルブプランジャに沿って前記シリンダ内に押し込んで前記密閉空間を加圧することにより開放され該密閉空間内の流体を排出するための排出弁とを備える流体吐出器において、前記ピストンと、前記ガイドシャフトの少なくともバルブプランジャ側摺動部とがそれぞれ、別体のエラストマまたはゴムからなり、前記排出弁は、前記密閉空間内を加圧することにより前記ガイドシャフトのバルブプランジャ側接触部が前記バルブプランジャから離間して該密閉空間内の流体を排出するものであることを特徴とするものである。
【００１８】
第５発明である流体吐出器は、第４発明において、シリンダ内に設けた弁座から離間して該シリンダ内に流体を吸入するためのバルブプランジャと、このバルブプランジャの外周部を摺動可能に保持する中空のガイドシャフトと、このガイドシャフトの外周部に取り付けられ該ガイドシャフトと前記バルブプランジャと前記シリンダと共に密閉空間を形成して前記シリンダの内周部に沿って摺動自在なピストンと、このピストンおよび前記ガイドシャフトを前記バルブプランジャに沿って前記シリンダ内に押し込んで前記密閉空間を加圧することにより開放され該密閉空間内の流体を排出するための排出弁とを備える流体吐出器において、前記ピストンと、前記ガイドシャフトの少なくともバルブプランジャ側摺動部とは、一体に成形されたパーツからなり、前記排出弁は、前記密閉空間内を加圧することにより前記ガイドシャフトのバルブプランジャ側接触部が前記バルブプランジャから離間して該密閉空間内の流体を排出するものであることを特徴とするものである。
【００２０】
【発明の実施の形態】
以下、本発明の実施の形態を添付図面に基づき詳細に説明する。
【００２１】
図１および図２はそれぞれ、本発明に係る流体吐出器の第１の実施形態であるワンプッシュポンプ１およびそのポンプ１を取り付ける容器５０の口部５０ａを示す断面図および、図１の領域Ｘを示す要部拡大図である。
【００２２】
ワンプッシュポンプ１は、例えば、乳液などの液体を吐出するものであって、容器５０の口部５０ａに取り付けられるキャップ１１０と、このキャップ１１０の内側に取り付けられ容器５０の内容物を吸い上げるパイプＣ1を有するシリンダ１２０と、このシリンダ１２０内に設けた座部１２０ａから離間して該シリンダ１２０内に流体を吸入するためのバルブプランジャ１３０と、このバルブプランジャ１３０との間にリターンスプリングＳ1を配して該バルブプランジャ１３０の外周部１３０ｆ（図２参照）を摺動可能に保持する中空のガイドシャフト１４０と、このガイドシャフト１４０の外周部に取り付けられ該ガイドシャフト１４０とバルブプランジャ１３０とシリンダ１２０と共に密閉空間Ｒ1を形成しシリンダ１２０の内周部に沿って摺動自在なエラストマまたはゴム（例えばブチルゴム）からなるピストン１５０と、ガイドシャフト１４０の排出側に取り付けるノズルヘッド１６０と、キャップ１１０とシリンダ１２０のフランジ上面との間に設けられガイドシャフト１４０を保持する保持部材１７０と、容器５０の口部５０ａとシリンダ１２０のフランジ下面との間に介在するパッキンＰ1とからなる。
【００２３】
ガイドシャフト１４０は、図２に示す如く、その内周部には、バルブプランジャ１３０の外周部１３０ｆと接触するほぼ爪状のバルブプランジャ側摺動部１４１が一体に成形されている。このバルブプランジャ側摺動部１４１は、バルブプランジャ１３０の外周部１３０ｆとの密閉性（以下、シール性という）を保持すると共に、以下のように動作する。
【００２４】
バルブプランジャ側摺動部１４１は、ガイドシャフト１４０をシリンダ１２０内に押し込む過程では、バルブプランジャ１３０の外周部１３０ｆを該バルブプランジャ１３０がシリンダ１２０内に設けた弁座１２０ａに着座するまで一体に保持するが、バルブプランジャ１３０が弁座１２０ａに着座したのちは、ガイドシャフト１４０をリターンスプリングＳ1の付勢力に抗してバルブプランジャ１３０の外周部１３０ｆに沿って摺動させる。このとき、ガイドシャフト１４０は、ピストン１５０と共にバルブプランジャ１３０に沿ってシリンダ１２０内に押し込んで密閉空間Ｒ1を加圧する。その後、ガイドシャフト１４０のバルブプランジャ側摺動部１４１は、ガイドシャフト１４０をシリンダ１２０内から引き戻す工程では、リターンスプリングＳ1の付勢力によって、再びバルブプランジャ１３０の外周部１３０ｆを保持して該バルブプランジャ１３０を一体に引き上げて、バルブプランジャ１３０をシリンダ１２０の弁座１２０ａからスプリング端部に突き当たるまで離間させ、その後はガイドシャフト１４０のみが元の位置まで復帰する。
【００２５】
またガイドシャフト１４０の下端部付近には、リターンスプリングＳ1の一端を保持するシリンダ側摺動部１４２が一体に成形されており、このシリンダ側摺動部１４２はガイドシャフト１４０およびピストン１５０間を密閉空間Ｒ1に開放させる開放穴１４０ｈ1を有する。
【００２６】
そしてガイドシャフト１４０の側面には、図２に示す如く、ノズルヘッド１６０の排出口１６０ａとつながる排出流路１４０ｒに連通する貫通穴１４０ｈ2が形成されており、その周辺部分にはピストン１５０を取り付けるための凹部１４０ｎが設けられている。この凹部１４０ｎは、密閉空間Ｒ1がある吸入側はほぼ垂直な段差１４０ｎ1を有しているのに対して、ノズル１６０がある排出側は傾斜１４０ｎ2を有している。
【００２７】
ピストン１５０は、図２に示す如く、ガイドシャフト１４０の外周面と接触するガイドシャフト側固定部１５２を有し、その先端付近には、段差部１５２ｅが設けられている。ピストン１５０のガイドシャフト１４０への取り付けは、ピストン１５０のガイドシャフト側固定部１５２をガイドシャフト１４０の凹部１４０ｎに嵌合させることにより行い、その際、先端付近に段差部１５２ｅを設けたガイドシャフト側固定部１５２が、ガイドシャフト１４０の凹部１４０ｎに嵌合している。
【００２８】
このため、ピストン１５０を構成するエラストマまたはゴムを弾性の高いエラストマまたはゴムに変更すると、ピストン１５０は、ガイドシャフト１４０と共にシリンダ１２０に沿って該シリンダ１２０内に押し込んで密閉空間Ｒ1を加圧することにより、ピストン１５０のガイドシャフト側固定部１５２をガイドシャフト１４０の凹部１４０ｎのうちの段差１４０ｎ1から離間させ、密閉空間Ｒ1をガイドシャフト１４０の排出流路１４０ｒに開放し、この流路１４０ｒから密閉空間Ｒ1内の流体を排出するために排出弁の機能を有することになる。
【００２９】
ここで、図１，２を参照してワンプッシュポンプ１を説明する。
【００３０】
始めに使用者が矢印ｄの方向にノズルヘッド１６０を押圧すると、ガイドシャフト１４０がピストン１５０と共にバルブプランジャ１３０をリターンスプリングＳ1の付勢力に抗してシリンダ１２０内に押し込んで、ガイドシャフト１４０に保持されたバルブプランジャ１３０をシリンダ１２０の弁座１２０ａに着座させる。
【００３１】
その後さらにノズルヘッド１６０を押圧すると、ガイドシャフト１４０がバルブプランジャ１３０の外周部１３０ｆに沿って摺動するため、ガイドシャフト１４０と共にピストン１５０をリターンスプリングＳ1の付勢力に抗してシリンダ１２０内に押し込んで密閉空間Ｒ1を加圧する。
【００３２】
すると、密閉空間Ｒ1内では、圧力の上昇若しくはピストン１５０とシリンダ１２０との間の摩擦抵抗によって、ピストン１５０のガイドシャフト側固定部１５２をその弾性力に抗してガイドシャフト１４０の凹部１４０ｎに設けた段差１４０ｎ1から押し退けて該段差１４０ｎ1から離間させ、密閉空間Ｒ1内の空気を貫通穴１４０ｈ2および排出流路１４０ｒを経てノズルヘッド１６０へ排出し、その後、使用者がノズルヘッド１６０から指を離すと、ピストン１５０のガイドシャフト側固定部１５２は、その弾性力またはピストン１５０とシリンダ１２０との間の摩擦抵抗によって再びガイドシャフト１４０に設けた段差１４０ｎ1に着座する。このとき、ノズルヘッド１６０の上昇と共にガイドシャフト１４０がバルブプランジャ１３０を引き上げてシリンダ１２０の座部１２０ａから離間させると共に密閉空間Ｒ1内に負圧が生じさせるため、この負圧によって、容器内の内容物をパイプＣ1から吸い上げて密閉空間Ｒ1内に導入する。
【００３３】
以後、使用者がノズルヘッド１６０を押圧すると、ガイドシャフト１４０がバルブプランジャ１３０をシリンダ１２０の座部１２０ａに着座させたのちピストン１５０によって密閉空間Ｒ1内の内容物を加圧するため、この加圧された内容物は、ピストン１５０のガイドシャフト側固定部１５２をその弾性力に抗してガイドシャフト１４０の凹部１４０ｎに設けた段差１４０ｎ1から押し退けて該段差１４０ｎ1から離間させて、貫通穴１４０ｈ2および排出流路１４０ｒを経てノズルヘッド１６０の排出口１６０ａから排出される。
【００３４】
本実施形態であるワンプッシュポンプ１は、密閉空間Ｒ1を形成するバルブプランジャ１３０、ガイドシャフト１４０、ピストン１５０、シリンダ１２０のうち、シリンダ１２０の内周部１２０ｆに沿って摺動自在なピストン１５０のシリンダ側摺動部１５１をエラストマまたはゴムにしたことにより、乳液などの吐出液体に含まれるパウダーやスクラブなどの微粒子によってピストン１５０のシリンダ側摺動部１５１にキズがつくことを防止できるから、密閉空間Ｒ1に対して一定の密閉性を確保することができる。
【００３５】
また本実施形態の場合、排出弁を、密閉空間Ｒ1内を加圧することによりピストン１５０のガイドシャフト側固定部１５２がガイドシャフト１４０の凹部１４０ｎに設けた段差１４０ｎ1から一部離間して該ガイドシャフト１４０の凹部１４０ｎに設けた貫通穴１４０ｈ2を開放して密閉空間Ｒ1内の流体を排出するものとしたから、エラストマまたはゴムをピストン１５０に使用した技術をそのまま流用することによって排出弁を簡単に設けることができる。
【００３６】
図３は、本発明の第２の実施形態であるワンプッシュポンプ２を示す要部断面図である。なお、本実施形態は、第１実施形態のガイドシャフト１４０をガイドシャフト２４０に置き換えたものであるため、以下の説明に関して、第１の実施形態と同一部分は同一符号をもってその説明を省略する。
【００３７】
ガイドシャフト２４０は、図３に示す如く、その内周部には、バルブプランジャ１３０の外周部１３０ｆと接触するほぼ爪状のバルブプランジャ側摺動部２４１がエラストマまたはゴム（例えばブチルゴム）により成形されている。このエラストマまたはゴムからなるバルブプランジャ側摺動部２４１は、リターンスプリングＳ1の一端を保持すると共に、バルブプランジャ１３０の外周部１３０ｆとのシール性が保持されると共に、以下のように動作する。
【００３８】
バルブプランジャ側摺動部２４１は、ガイドシャフト２４０をシリンダ１２０内に押し込む過程では、バルブプランジャ１３０の外周部１３０ｆを該バルブプランジャ１３０がシリンダ１２０内に設けた弁座１２０ａに着座するまで一体に保持するが、バルブプランジャ１３０が弁座１２０ａに着座したのちは、ガイドシャフト２４０をリターンスプリングＳ1の付勢力に抗してバルブプランジャ１３０の外周部１３０ｆに沿って摺動させる。このとき、ガイドシャフト２４０は、ピストン１５０と共にバルブプランジャ１３０に沿ってシリンダ１２０内に押し込んで密閉空間Ｒ1を加圧する。その後、ガイドシャフト２４０のバルブプランジャ側摺動部２４１は、ガイドシャフト２４０をシリンダ１２０内から引き戻す工程では、リターンスプリングＳ1の付勢力によって、再びバルブプランジャ１３０の外周部１３０ｆを保持して該バルブプランジャ１３０を一体に引き上げて、バルブプランジャ１３０をシリンダ１２０の弁座１２０ａからスプリング端部に突き当たるまで離間させ、その後はガイドシャフト２４０のみが元の位置まで復帰する。
【００３９】
またガイドシャフト２４０の下端部付近には、シリンダ側摺動部２４２が一体に成形されており、このシリンダ側摺動部２４２はガイドシャフト１４０およびピストン１５０間を密閉空間Ｒ1に開放させる切り欠き溝２４０ｈ1を有する。
【００４０】
そしてガイドシャフト２４０の側面には、ノズルヘッド１６０の排出口１６０ａとつながる排出流路２４０ｒに連通する貫通穴２４０ｈ2が形成されており、その周辺部分にはピストン１５０を取り付けるための凹部２４０ｎが設けられている。この凹部２４０ｎは、第１実施形態と同様、密閉空間Ｒ1がある吸入側はほぼ垂直な段差２４０ｎ1を有しているのに対して、ノズル１６０がある排出側は傾斜２４０ｎ2を有している。
【００４１】
ピストン１５０のガイドシャフト２４０への取り付けは、第１実施形態と同様、ピストン１５０のガイドシャフト側固定部１５２をガイドシャフト２４０の凹部２４０ｎに嵌合させることにより行い、その際、ガイドシャフト側固定部１５２は、その先端付近に設けた段差部１５２        ｅによって密閉空間Ｒoが形成された状態でガイドシャフト２４０の凹部２４０ｎに嵌合している。
【００４２】
このため、ピストン１５０を構成するエラストマまたはゴムを弾性の高いエラストマに変更すると、ピストン１５０は、第１実施形態と同様、密閉空間Ｒ1を加圧することにより、ピストン１５０のガイドシャフト側固定部１５２がガイドシャフト２４０から一部離間してガイドシャフト２４０に設けた貫通穴２４０ｈ2を開放して密閉空間Ｒ1内の流体を排出する排出弁となる。
【００４３】
なお、本実施形態のワンプッシュポンプ２付き容器５０の作用に関しては、ガイドシャフト２４０のバルブプランジャ側摺動部２４１がエラストマまたはゴムからなるものである以外、第１実施形態と同様であるため、その説明は、ガイドシャフト１４０をガイドシャフト２４０に置き換えることで省略する。
【００４４】
本実施形態であるワンプッシュポンプ２は、密閉空間Ｒ1を形成するバルブプランジャ１３０、ガイドシャフト２４０、ピストン１５０、シリンダ１２０のうち、ピストン１５０のシリンダ側摺動部１５１に加えて、バルブプランジャ１３０の外周部１３０ｆに沿って摺動自在な中空のガイドシャフト２４０のバルブプランジャ側摺動部２４１をエラストマまたはゴムにしたことにより、吐出液体に含まれるパウダーやスクラブなどの微粒子によってガイドシャフト２４０のバルブプランジャ側摺動部２４１にキズがつくことを防止できるから、密閉空間Ｒ1に対して一定の密閉性を確保することができる。なお本実施形態の場合も、第１実施形態と同様、エラストマをピストン１５０に使用した技術をそのまま流用することによって排出弁を簡単に設けることができる。
【００４５】
図４および図５はそれぞれ、本発明に係る流体吐出器の第３の実施形態であるワンプッシュポンプ３およびそのポンプ３を取り付ける容器５０の口部５０ａを示す断面図および、図４の領域Ｘを示す要部拡大図である。なお、以下の説明に関して、第１の実施形態と同一部分は同一符号をもってその説明を省略する。
【００４６】
ガイドシャフト３４０は、図５に示す如く、その内周部には、ノズルヘッド１６０の排出口１６０ａとつながる排出流路３４０ｒが設けられている一方、バルブプランジャ１３０の外周部１３０ｆと接触するほぼ爪状のバルブプランジャ側摺動部３４１がエラストマまたはゴムにより成形されている。このエラストマまたはゴムからなるバルブプランジャ側摺動部３４１は、リターンスプリングＳ1の一端を保持すると共に、バルブプランジャ１３０の外周部１３０ｆとのシール性を保持して、第２実施形態と同様に動作する。
【００４７】
このため、バルブプランジャ側摺動部３４１を構成するエラストマまたはゴムを弾性の高いエラストマまたはゴムに変更すると、バルブプランジャ側摺動部３４１は、ピストン１５０と共にバルブプランジャ１３０に沿ってシリンダ１２０内に押し込んで密閉空間Ｒ1を加圧することにより、バルブプランジャ側摺動部３４１をその弾性力に抗して矢印ｆの方向に押し開いてバルブプランジャ１３０の外周部１３０ｆから離間させて、密閉空間Ｒ1をガイドシャフト３４０の排出流路３４０ｒに開放し、この流路３４０ｒから密閉空間Ｒ1内の流体を排出するために排出弁の機能を有することになる。
【００４８】
またガイドシャフト３４０の下端部付近には、シリンダ側摺動部３４２が一体に成形されており、このシリンダ側摺動部３４２はガイドシャフト３４０およびピストン１５０間を密閉空間Ｒ1に開放させる切り欠き穴３４０ｈ1を有する。
【００４９】
そしてガイドシャフト３４０の側面には、図５に示す如く、ピストン１５０を取り付けるための凹部３４０ｎが設けられている。この凹部３４０ｎは、密閉空間Ｒ1がある吸入側およびノズル１６０がある排出側がほぼ垂直な段差を有している。このため、ピストン１５０のガイドシャフト３４０への取り付けは、ピストン１５０のガイドシャフト側固定部１５２をガイドシャフト３４０の凹部３４０ｎに嵌合、インサート成形による融着または接着させることにより行う。
【００５０】
ここで、図４，５を参照してワンプッシュポンプ３を説明する。
【００５１】
始めに使用者が矢印ｄの方向にノズルヘッド１６０を押圧すると、ガイドシャフト３４０がピストン１５０と共にバルブプランジャ１３０をリターンスプリングＳ1の付勢力に抗してシリンダ１２０内に押し込んで、ガイドシャフト３４０に保持されたバルブプランジャ１３０をシリンダ１２０の弁座１２０ａに着座させる。
【００５２】
その後さらにノズルヘッド１６０を押圧すると、ガイドシャフト３４０がバルブプランジャ１３０の外周部１３０ｆに沿って摺動するため、ガイドシャフト３４０と共にピストン１５０をリターンスプリングＳ1の付勢力に抗してシリンダ１２０内に押し込んで密閉空間Ｒ1を加圧する。
【００５３】
すると、密閉空間Ｒ1内では圧力が上昇し、バルブプランジャ側摺動部３４１をその弾性力に抗してバルブプランジャ１３０の外周部１３０ｆから押し退けて該バルブプランジャ１３０の外周部１３０ｆから離間させ、密閉空間Ｒ1内の空気を排出流路３４０ｒを経てノズルヘッド１６０へ排出し、その後、使用者がノズルヘッド１６０から指を離すと、バルブプランジャ側摺動部３４１は、その弾性力によって再びバルブプランジャ１３０の外周部１３０ｆに着座する。このとき、ノズルヘッド１６０の上昇と共にガイドシャフト３４０がバルブプランジャ１３０を引き上げてシリンダ１２０の座部１２０ａから離間させると共に密閉空間Ｒ1内に負圧が生じさせるため、この負圧によって、容器内の内容物をパイプＣ1から吸い上げて密閉空間Ｒ1内に導入する。
【００５４】
以後、使用者がノズルヘッド１６０を押圧すると、ガイドシャフト３４０がバルブプランジャ１３０をシリンダ１２０の座部１２０ａに着座させたのちピストン１５０によって密閉空間Ｒ1内の内容物を加圧するため、この加圧された内容物は、バルブプランジャ側摺動部３４１をその弾性力に抗してバルブプランジャ１３０の外周部１３０ｆから押し退けて該バルブプランジャ１３０の外周部１３０ｆから離間させて、排出流路３４０ｒを経てノズルヘッド１６０の排出口１６０ａから排出される。
【００５５】
本実施形態の場合、排出弁を、密閉空間Ｒ1内を加圧することによりガイドシャフト３４０のバルブプランジャ側接触部３４１がバルブプランジャ１３０から離間して該密閉空間Ｒ1内の流体を排出するものとしたから、エラストマまたはゴムを使用したガイドシャフト３４０のバルブプランジャ側接触部３４１をそのまま流用することによって排出弁を簡単に設けることができる。なお、ガイドシャフト３４０のバルブプランジャ側接触部３４１を排出弁に用いる構成は、前記第２実施形態のバルブプランジャ側接触部２４１に用いてもよい。
【００５６】
図６〜図８はそれぞれ、本発明の第４〜第６の実施形態であるワンプッシュポンプ４〜６を示す要部断面図である。なお、これらの実施形態はそれぞれ、ピストンのシリンダ側摺動部およびガイドシャフトのバルブプランジャ側摺動部がエラストマまたはゴム（例えばブチルゴム）により一体に成形されたパーツ（以下、エラストマパーツと総称する）１０，２０，３０からなるものであり、以下の説明に関して、第１〜第３の実施形態と同一部分は同一符号をもってその説明を省略する。
【００５７】
まず第４実施形態のエラストマパーツ１０は、図６に示す如く、シリンダ側摺動部１１およびバルブプランジャ側摺動部１２が一体に成形されたものであり、シリンダ側摺動部１１によってシリンダ１２０の内周部１２０ｆとのシール性が保持されると共に、バルブプランジャ側摺動部１２によってバルブプランジャ１３０の外周部１３０ｆとのシール性が保持され、特にバルブプランジャ側摺動部１２は、第３実施形態のように動作する。またエラストマパーツ１０は、その下端部付近でリターンスプリングＳ1の一端を保持する。
【００５８】
ガイドシャフト４４０の側面には、エラストマパーツ１０を取り付けるための凹部４４０ｎが設けられている。この凹部４４０ｎは、密閉空間Ｒ1がある吸入側はほぼ垂直な段差４４０ｎ1を有しているのに対して、ノズル１６０がある排出側は傾斜４４０ｎ2を有している。
【００５９】
エラストマパーツ１０は、ガイドシャフト１４０の外周面と接触するガイドシャフト側固定部１３を有し、その先端付近には、段差部１３ｅが設けられている。エラストマパーツ１０のガイドシャフト４４０への取り付けは、ガイドシャフト側固定部１３をガイドシャフト４４０の凹部４４０ｎに嵌合、インサート成形による融着または接着させることにより行う。
【００６０】
本実施形態の場合、エラストマパーツ１０は弾性の高いエラストマまたはゴムとしている。このため、バルブプランジャ側摺動部１２は、第３実施形態と同様、エラストマパーツ１０をシリンダ１２０およびバルブプランジャ１３０に沿ってシリンダ１２０内に押し込んで密閉空間Ｒ1を加圧することにより、バルブプランジャ側摺動部１２をその弾性力に抗して矢印ｆの方向に押し開いてバルブプランジャ１３０の外周部１３０ｆから離間させて、密閉空間Ｒ1をガイドシャフト４４０の排出流路４４０ｒに開放し、このノズルヘッド１６０の排出口１６０ａと連通する排出流路４４０ｒから密閉空間Ｒ1内の流体を排出するために排出弁の機能を有することになる。
【００６１】
次に第５実施形態のエラストマパーツ２０は、図７に示す如く、シリンダ側摺動部２１およびバルブプランジャ側摺動部２２が一体に成形されたエラストマまたはゴム（例えばブチルゴム）からなるものであり、シリンダ側摺動部２１によってシリンダ１２０の内周部１２０ｆとのシール性が保持されると共に、バルブプランジャ側摺動部２２によってバルブプランジャ１３０の外周部１３０ｆとのシール性が保持され、特にバルブプランジャ側摺動部２２は、第３実施形態のように動作する。またエラストマパーツ２０も、その下端部付近でリターンスプリングＳ1の一端を保持する。
【００６２】
ガイドシャフト５４０の側面には、エラストマパーツ２０を取り付けるための切り欠き部５４０ｎが設けられている。この切り欠き部５４０ｎは、密閉空間Ｒ1がある吸入側が開放されているのに対して、ノズル１６０がある排出側はほぼ垂直な段差を有している。
【００６３】
エラストマパーツ２０は、ガイドシャフト５４０の外周面と接触するガイドシャフト側固定部２３を有し、エラストマパーツ２０のガイドシャフト５４０への取り付けは、ガイドシャフト側固定部２３をガイドシャフト５４０の切り欠き部５４０ｎに嵌合、インサート成形による融着または接着させることにより行う。
【００６４】
また本実施形態の場合も、エラストマパーツ２０も弾性の高いエラストマまたはゴムとしているため、バルブプランジャ側摺動部２２は、ノズルヘッド１６０の排出口１６０ａに連通する排出流路５４０ｒから密閉空間Ｒ1内の流体を排出するために排出弁の機能を有することになる。
【００６５】
さらに第６実施形態のエラストマパーツ３０は、図８に示す如く、シリンダ側摺動部３１およびバルブプランジャ側摺動部３２が一体に成形されたエラストマまたはゴムからなるものであり、シリンダ側摺動部３１によってシリンダ１２０の内周部１２０ｆとのシール性が保持されると共に、バルブプランジャ側摺動部３２によってバルブプランジャ１３０の外周部１３０ｆとのシール性が保持され、特にバルブプランジャ側摺動部３２も、第３実施形態のように動作する。またエラストマパーツ３０も、その下端部付近でリターンスプリングＳ1の一端を保持する。
【００６６】
ガイドシャフト６４０の下端部には、エラストマパーツ１０を取り付けるための取り付け部６４０ｎが設けられている。エラストマパーツ３０は、ガイドシャフト６４０と接触するガイドシャフト側固定部３３を有し、エラストマパーツ２０のガイドシャフト６４０への取り付けは、ガイドシャフト側固定部３３をガイドシャフト６４０の取り付け部６４０ｎに嵌合または接着させることにより行う。
【００６７】
本実施形態の場合も、エラストマパーツ３０も弾性の高いエラストマまたはゴムとしているため、バルブプランジャ側摺動部３２は、ノズルヘッド１６０の排出口１６０ａに連通する排出流路６４０ｒから密閉空間Ｒ1内の流体を排出するために排出弁の機能を有することになる。
【００６８】
第４〜第６実施形態では、吐出流体に含まれるパウダーやスクラブなどの微粒子によってシリンダ側摺動部１１，２１，３１およびバルブプランジャ側摺動部１２，２２，３２にキズがつくことを防止できるから、密閉空間Ｒ1に対して高い密閉性を確保することができる。
【００６９】
上述したところは、本発明の好適な実施形態を示したに過ぎず、当業者によれば、請求の範囲において、種々の変更を加えることができ、例えば、エラストマまたはブチルゴムを用いる構成は、シリンダ側摺動部およびバルブプランジャ側摺動部の少なくとも一方に設けられていればよい。また排出弁を別途に設けた場合は、他の実施形態として、ガイドシャフトのバルブプランジャ側摺動部およびピストンのシリンダ側摺動部の少なくとも一方をエラストマまたはゴムでコーティングしてもよく、必ずしも、ガイドシャフトのバルブプランジャ側摺動部全体およびピストン全体をエラストマまたはゴムで構成する必要はない。
【００７０】
さらにガイドシャフトのバルブプランジャ側摺動部の形状は、バルブプランジャを一定の摩擦力が超えるまで摺動せずに保持可能であって、かつ、バルブプランジャとのシール性を確保できる形状であれば、上記実施形態に示す爪形状に限ることなく、Ｒの付いた丸形状などであってもよい。
【００７１】
加えてワンプッシュポンプの形態は、使用者がコットンやパフなどを介してピストンに設けた受皿状のヘッドを押圧してクレンジング液などの内容物を取り出すタイプであってもよく、さらに利用される流体吐出器も、ワンプッシュポンプに限ることなく、使用者がトリガーに引っ掛けた指を引くことによってポンプ作用を惹起するトリガーポンプであってもよく、さらに吐出液体が霧状に排出されるスプレータイプであってもよい。
【００７２】
【発明の効果】
第１発明に係る流体吐出器は、密閉空間を形成するバルブプランジャ、ガイドシャフト、ピストン、シリンダのうち、シリンダの内周部に沿って摺動自在なピストンのシリンダ側摺動部をエラストマまたはゴムにしたことにより、吐出流体に含まれるパウダーやスクラブなどの微粒子によってピストンのシリンダ側摺動部にキズがつくことを防止できるから、密閉空間に対して一定の密閉性を確保することができる。
【００７３】
第２発明に係る流体吐出器は、密閉空間を形成するバルブプランジャ、ガイドシャフト、ピストン、シリンダのうち、バルブプランジャの外周部に沿って摺動自在な中空のガイドシャフトのバルブプランジャ側摺動部をエラストマまたはゴムにしたことにより、吐出流体に含まれるパウダーやスクラブなどの微粒子によってガイドシャフトのバルブプランジャ側摺動部にキズがつくことを防止できるから、密閉空間に対して一定の密閉性を確保することができる。
【００７４】
第３発明に係る流体吐出器は、密閉空間を形成するバルブプランジャ、ガイドシャフト、ピストン、シリンダのうち、シリンダの内周部に沿って摺動自在なピストンのシリンダ側摺動部およびガイドシャフトのバルブプランジャ側摺動部をエラストマまたはゴムにしたことにより、吐出流体に含まれるパウダーやスクラブなどの微粒子によってピストンのシリンダ側摺動部およびガイドシャフトのバルブプランジャ側摺動部にキズがつくことを防止できるから、密閉空間に対して高い密閉性を確保することができる。
【００７５】
第４発明に係る流体吐出器は、密閉空間を形成するバルブプランジャ、ガイドシャフト、ピストン、シリンダのうち、シリンダの内周部に沿って摺動自在なピストンのシリンダ側摺動部およびガイドシャフトのバルブプランジャ側摺動部を一体のパーツとして成形されたエラストマまたはゴムにしたことにより、吐出流体に含まれるパウダーやスクラブなどの微粒子によってピストンのシリンダ側摺動部およびガイドシャフトのバルブプランジャ側摺動部にキズがつくことを防止できるから、密閉空間に対して高い密閉性を確保することができる。加えてシリンダ側摺動部およびバルブプランジャ側摺動部を一体のパーツとしたから、高い剛性を得ることができる。
【００７６】
第５発明は、上記第１発明乃至第４発明のいずれか一発明において、排出弁を、密閉空間内を加圧することによりピストンのガイドシャフト側固定部がガイドシャフトから一部離間して該ガイドシャフトの側面に設けた貫通穴を開放して密閉空間内の流体を排出するものとしたから、上記第１発明に使用した技術をそのまま流用することによって排出弁を簡単に設けることができる。
【００７７】
第６発明は、上記第２発明乃至第５発明のいずれか一発明において、排出弁を、密閉空間内を加圧することによりガイドシャフトのバルブプランジャ側接触部がバルブプランジャから離間して該密閉空間内の流体を排出するものとしたから、上記第２発明に使用した技術をそのまま流用することによって排出弁を簡単に設けることができる。
【図面の簡単な説明】
【図１】  本発明に係る流体吐出器の第１の実施形態であるワンプッシュポンプおよびそのポンプを取り付ける容器の口部を示す断面図である。
【図２】  図１の領域Ｘを示す要部拡大図である。
【図３】  本発明の第２の実施形態であるワンプッシュポンプを示す要部断面図である。
【図４】  本発明に係る流体吐出器の第３の実施形態であるワンプッシュポンプおよびそのポンプを取り付ける容器の口部を示す断面図である。
【図５】  図３の領域Ｘを示す要部拡大図である。
【図６】  本発明の第４の実施形態であるワンプッシュポンプを示す要部断面図である。
【図７】  本発明の第５の実施形態であるワンプッシュポンプを示す要部断面図である。
【図８】  本発明の第６の実施形態であるワンプッシュポンプを示す要部断面図である。
【図９】  従来のワンプッシュポンプおよびそのポンプを取り付ける容器の口部を示す断面図である。
【符号の説明】
１  ワンプッシュポンプ
１０  エラストマパーツ
１１  シリンダ側摺動部
１２  バルブプランジャ側摺動部
２０  エラストマパーツ
２１  シリンダ側摺動部
２２  バルブプランジャ側摺動部
３０  エラストマパーツ
３１  シリンダ側摺動部
３２  バルブプランジャ側摺動部
１１０  キャップ
１２０  シリンダ
１２０ａ  座部
１３０  バルブプランジャ
１４０  ガイドシャフト
１４０ｈ2  貫通穴
１４０ｒ  排出流路
１４１  バルブプランジャ側摺動部
１５０  ピストン
１５１  シリンダ側摺動部
１５２  ガイドシャフト側固定部
１６０  ノズルヘッド
１７０  保持部材
２４０  ガイドシャフト
２４０ｈ2  貫通穴
２４０ｒ  排出流路
２４１  バルブプランジャ側摺動部
３４０  ガイドシャフト
３４０ｒ  排出流路
３４１  バルブプランジャ側摺動部
４４０  ガイドシャフト
４４０ｒ  排出流路
５４０  ガイドシャフト
５４０ｒ  排出流路
６４０  ガイドシャフト
６４０ｒ  排出流路
Ｐ1  パッキン
Ｃ1  パイプ
Ｓ1  リターンスプリング
Ｒ1  密閉空間
【図１】
0003887554.tif 000002
【図２】
0003887554.tif 000003
【図３】
0003887554.tif 000004
【図４】
0003887554.tif 000005
【図５】
0003887554.tif 000006
【図６】
0003887554.tif 000007
【図７】
0003887554.tif 000008
【図８】
0003887554.tif 000009
【図９】
0003887554.tif 000010